(57)【要約】【課題】簡易な回路構成で、非同期に更新される放電管制御ＰＷＭパルスの制御を遅延なしで行う放電管点灯装置を提供する。【解決手段】光源として冷陰極管を用いた映像機器であって、放電管に流れる電流制御をデジタル回路にてＰＷＭにより行うシステムにおいて、ＰＷＭパルスのデューティを増加、減少させるときにそれぞれＰＷＭパルス終了位置、開始位置を増加分に応じて設定することによって要求を実現するように構成されている。【選択図】  図１
2004311191.tif 000002
【特許請求の範囲】
【請求項１】
放電管に流れる電流の制御をＰＷＭパルスで行う放電灯点灯制御装置であって、前記ＰＷＭパルスのデューティーを増加させるときにはＰＷＭパルス終了位置を増加させ、前記ＰＷＭパルスのデューティーを減少させるときにはＰＷＭパルス開始位置を増加させて前記ＰＷＭパルスのデューティー制御を行うことを特徴とする放電灯点灯制御装置。
【請求項２】
放電管に流れる電流の制御をＰＷＭパルスで行う放電灯点灯制御装置であって、前記ＰＷＭパルスのデューティーの基準となるユーザー設定値を記憶する第１の記憶手段と、現在の前記ユーザー調整値と一演算周期前の前記ユーザー調整値との差分値の符号を判別する判別手段と、前記判別手段の結果が正ならば０、負ならば差分値を出力する選択する第１の選択手段と、前記判別手段の結果が正ならば差分値、負ならば０を出力する第２の選択手段と、前記第１の選択手段から出力される値を累積加算する第１の累積手段と、前記第１の累積手段から出力される値を保持する第２の記憶手段と、前記第２の選択手段から出力される値を累積加算する第２の累積手段と、前記第２の累積手段から出力される値を保持する第３の記憶手段と、前記第１の累積手段から出力される値をＰＷＭパルスの開始位置として設定する第１の設定手段と、前記第２の累積手段から出力される値をＰＷＭパルスの終了位置として設定する第２の設定手段とを備えたことを特徴とする放電灯点灯制御装置。
【請求項３】
判別手段をカウンタ値と現在のＰＷＭパルス開始位置とユーザー設定値との合計との差分値の符号によって判別することを特徴とする請求項１記載の放電灯点灯制御装置。
【発明の詳細な説明】
【０００１】
【発明の属する技術分野】
本発明は光源として冷陰極線管などの放電管を用いた映像機器（例えば、液晶テレビジョン受像機）において、特に調光制御をＰＷＭパルスによる制御によって行う放電灯点灯制御装置に関するものである。
【０００２】
【従来の技術】
一般的には、液晶表示パネルの光源として冷陰極線管が用いられている。そしてこの冷陰極線管に流れる電流を制御することで、発光輝度を制御している。制御としては、電流平均値をＰＷＭ制御により行なっている。具体的には、発振回路のランプに流れる電流を数百Ｈｚの周波数で断続して平均電流を制御する。（たとえば、特許文献１参照）。
【０００３】
この従来例である放電灯点灯制御装置のブロック図を図４に示す。このような従来のシステムでは、上記ＰＷＭ制御によって行うが、各設定値を静的に更新することしか考慮されておらず、動的に各設定値を更新するとＰＷＭ制御パルスが不正規なデューティーを持つパルスになってしまい最悪の場合ランプの保護回路が誤動作しシャットダウンしてしまう問題点があった。
【０００４】
図４において、カウンタ値をインクリメントするアップカウンタ４０１と、カウント開始位置を決めるカウント開始設定値４０４と、設定するＰＷＭパルスのデューティーを設定するユーザー設定値４０５と、前記カウント開始設定値と前記ユーザー設定値を加算する加算器４０８と、前記カウント開始設定値を設定するＰＷＭパルス開始位置設定手段４０６と、前記加算器の結果を設定するＰＷＭパルス終了位置設定手段４０７と、前記ＰＷＭパルス開始位置設定手段と前記ＰＷＭパルス終了位置設定手段と前記アップカウンタの値から要求に応じたＰＷＭパルスを発生させることができるＰＷＭパルス発生手段４０２と、前記ＰＷＭパルス発生手段から送られてきたＰＷＭパルスに応じて駆動するＰＷＭ駆動型バックライト４０３を備えることにより、調光制御をＰＷＭパルスによって行っている。
【０００５】
【特許文献１】
特開平０９−２２３５９２号公報（図４）
【０００６】
【発明が解決しようとする課題】
このように、従来例の構成及び行程では静的もしくは入力垂直同期信号に同期して更新される設定値には出力される制御ＰＷＭパルスは正常に出力されるが、非同期に更新される設定値を遅延なしでＰＷＭパルスに反映させることができないという課題があった。
【０００７】
【課題を解決するための手段】
光源として冷陰極管などの放電管を用いた映像機器であって、放電管に流れる電流制御をデジタル回路にてＰＷＭ方式により行うシステムにおいて、ＰＷＭパルスのデューティーを増加、減少させるときに、それぞれＰＷＭパルス終了位置、ＰＷＭパルス開始位置をＰＷＭパルスのデューティーの増加分または減少分に応じて設定することによって要求を実現するように構成されている。
【０００８】
【発明の実施の形態】
本発明の放電灯点灯制御装置は、光源として冷陰極線管などの放電管を用いた映像機器における放電管に流れる電流の制御を、デジタル回路を用いてＰＷＭパルスを発生させる事により行う放電灯点灯制御装置であって、ＰＷＭパルスのデューティーを増加させるときにはＰＷＭパルス終了位置を増加させ、前記ＰＷＭパルスのデューティーを減少させるときにはＰＷＭパルス開始位置を増加させることによって、前記ＰＷＭパルスのデューティー制御を行うという作用を有する。
【０００９】
また、本発明の放電灯点灯制御装置は、符号を判別する手段をカウンタ値と現在のＰＷＭパルス開始位置との差分値の符号によって判別するものであり、ＰＷＭパルス開始位置の変動の頻度を抑える効果を出すという作用を有する。
【００１０】
また、本発明の放電灯点灯制御装置は、放電灯点灯制御装置において、記符号を判別する手段をカウンタ値と現在のＰＷＭパルス開始位置との差分値の符号によって判別するものであり、ＰＷＭパルス開始位置の変動の頻度を抑え、垂直同期信号に開始位置を同期させることができる効果を出すという作用を有する。
【００１１】
以下、本発明の実施の形態について、図１、図２、図３を用いて説明する。
【００１２】
（実施の形態１）
本発明の放電灯点灯制御装置の構成を示すブロック図を図１に示す。図１において、１０１はＰＷＭパルスを発生させる基準となるクロックを発生させ、クロック毎にカウンタ値をインクリメントするアップカウンタ、１０２はアップカウンタ１０１のカウンタの値から設定されたＰＷＭパルス開始位置とＰＷＭパルス終了位置を参照することにより開始位置と終了位置を持つＰＷＭパルスを発生させるＰＷＭパルス発生手段、１０３はＰＷＭパルス発生手段１０２から出力されるＰＷＭパルスのデューティーに応じてバックライト輝度調光を行うＰＷＭ駆動型バックライト、１０４はＰＷＭパルスの希望するデューティーを設定するユーザー設定値保持手段である。
【００１３】
ＰＷＭパルス発生手段１０２に与えられるＰＷＭパルス開始位置設定値は、ＰＷＭパルス開始位置設定手段１１４によって算出される。またＰＷＭパルス発生手段１０２に与えられるＰＷＭパルス終了位置設定値は、ＰＷＭパルス終了位置設定手段１１５によって算出される。
【００１４】
ＰＷＭパルス開始位置設定手段１１４に与えられるＰＷＭパルス開始位置は、加算器１１２によって算出される。またＰＷＭパルス終了位置設定手段１１５に与えられるＰＷＭパルス開始位置は、加算器１１３によって算出される。
【００１５】
加算器１１２は記憶手段１１０と選択手段１０７を元に算出され、その出力値は前記記憶手段１１０に保存される。また、加算器１１３は記憶手段１１１と選択手段１０８を元に算出され、その出力値は記憶手段１１１に保存される。
【００１６】
選択手段１０７は符号判別手段１０６の結果が正ならば「０」、負ならば減算器１０９の出力を出力する。選択手段１０８は符号判別手段１０６の結果が正ならば減算器１０９の出力を、負ならば「０」を出力する。符号判別手段１０６は減算器１０９の結果を元に判断される。
【００１７】
減算器１０９はユーザー設定値１０４と一演算周期前のユーザー設定値１０４の値を記憶している記憶手段１０５とによって算出される。
【００１８】
なお、点線で囲まれたブロック１１６内はマイコン等のソフトウェアによって動作を実現するが、ＬＳＩ等のハードウェアで実現しても同様の効果が得られることはいうまでもない。
【００１９】
上記形態によって、発生したＰＷＭパルスのパルス立ち上がり位置とパルス立下り位置が基準のカウンタ値に対して負の方向に制御することがないため、ＰＷＭパルスを動的に変化させてもＰＷＭパルスが不正規なディーティを持つパルスになることはない。
【００２０】
（実施の形態２）
図２において、２０１はＰＷＭパルスを発生させる基準となるクロックを発生させ、クロック毎にカウンタ値をインクリメントするアップカウンタ、２０２は、アップカウンタ２０１のカウンタの値から設定されたＰＷＭパルス開始位置とＰＷＭパルス終了位置を参照することにより前記開始位置と前記終了位置を持つＰＷＭパルスを発生させるつＰＷＭパルス発生手段、２０３は、ＰＷＭパルス発生手段２０２から出力されるＰＷＭパルスのデューティーに応じてバックライト輝度調光を行うＰＷＭ駆動型バックライト、２０４はＰＷＭパルスの希望するデューティーを設定するユーザー調整値である。
【００２１】
ＰＷＭパルス発生手段２０２に与えられるＰＷＭパルス開始位置設定値は、ＰＷＭパルス開始位置設定手段２１６によって算出される。またＰＷＭパルス発生手段２０２に与えられるＰＷＭパルス終了位置設定値は、ＰＷＭパルス終了位置設定手段２１７によって算出される。ＰＷＭパルス開始位置設定手段２１６に与えられるＰＷＭパルス開始位置は、加算器２１４によって算出される。またＰＷＭパルス終了位置設定手段２１７に与えられるＰＷＭパルス開始位置は、加算器２１５によって算出される。
【００２２】
加算器２１４は記憶手段２１２と選択手段２１０を元に算出され、その出力値は前記記憶手段２１２に保存される。加算器２１５は記憶手段２１３と選択手段２１１を元に算出され、その出力値は前記記憶手段２１３に保存される。
【００２３】
選択手段２１０は符号判別手段２０７の結果が正ならば０、負ならば減算器２０９の出力を出力する。選択手段２１１は符号判別手段２０７の結果が正ならば減算器２０９の出力、負ならば０を出力する。
【００２４】
減算器２０９は前記ユーザー設定値２０４と一演算周期前の前記ユーザー設定値２０４の値を記憶している記憶手段２０８とによって算出される。
【００２５】
符号判別手段２０７は減算器２０６の結果を元に判断される。減算器２０６は現在の前記アップカウンタ２０１の値と加算器２０５の出力とによって算出される。
【００２６】
加算器２０５は前記記憶手段２１２と前記ユーザー設定値２０４とによって算出される。
【００２７】
なお、点線で囲まれた２１８内はマイコン等のソフトウェアによって動作を実現するが、ＬＳＩ等のハードウェアで実現しても同様の効果が得られることはいうまでもない。
【００２８】
（実施の形態１）と本実施の形態例との構成の違いは、（実施の形態１）の構成ではＰＷＭパルスのデューティーを現在より小さい値に変える毎にＰＷＭパルス開始位置が動いてしまうのに対し、本実施の形態例ではＰＷＭパルス開始位置を動かさない場合のＰＷＭパルス終了位置が現在のアップカウンタのカウンタ値より大きいときのみＰＷＭパルス開始位置を動かすことによりＰＷＭパルス開始位置の移動頻度を抑えることによって、ＰＷＭパルス開始位置が動くことによる冷陰極管のノイズを抑えることを目的としていることである。
【００２９】
（実施の形態３）
図３において、３０１はＰＷＭパルスを発生させる基準となるクロックを発生させ、クロック毎にカウンタ値をインクリメントするアップカウンタ、３０２はアップカウンタ３０１のカウンタの値から設定されたＰＷＭパルス開始位置とＰＷＭパルス終了位置を参照することにより開始位置と終了位置を持つＰＷＭパルスを発生させるＰＷＭパルス発生手段、３０３は、ＰＷＭパルス発生手段３０２から出力されるＰＷＭパルスのデューティーに応じてバックライト輝度調光を行うＰＷＭ駆動型バックライト、３０４はＰＷＭパルスの希望するデューティーを設定するユーザー調整値、ＰＷＭパルス発生手段３０２に与えられるＰＷＭパルス開始位置設定値は、３１１のＰＷＭパルス開始位置設定手段によって算出される。
【００３０】
３０２に与えられるＰＷＭパルス終了位置設定値は、３１２のＰＷＭパルス終了位置設定手段によって算出される。３１１に与えられるＰＷＭパルス開始位置は、選択手段３０８によって算出される。３１２に与えられるＰＷＭパルス開始位置は、選択手段３０７によって算出される。選択手段３０８は符号判別手段３０６の結果が正ならば減算器３０５の出力、負ならば０を出力する。
【００３１】
選択手段３０７は符号判別手段３０６の結果が正ならば現在のアップカウンタ３０１の値、負ならばユーザー設定値３０４を出力する。符号判別手段３０６は減算器３０５の結果を元に判断される。減算器３０５は現在の前記アップカウンタ３０１の値と加算器３０９の出力とによって算出される。加算器３０９は前記選択手段３０８の一演算周期前の値を記憶する記憶手段３１０とユーザー設定値３０４とによって算出される。
【００３２】
なお、点線で囲まれた３１３内はマイコン等のソフトウェアによって動作を実現するが、ＬＳＩ等のハードウェアで実現しても同様の効果が得られることはいうまでもない。
【００３３】
本実施の形態と（実施の形態２）との構成の違いは、（実施の形態２）ではＰＷＭパルス開始位置を動かさない場合のＰＷＭパルス終了位置が現在の前記アップカウンタのカウンタ値より大きいときのみＰＷＭパルス開始位置を動かすことによりＰＷＭパルス開始位置の移動頻度を抑えるが、本実施の形態ではＰＷＭパルス開始位置を可能な限り０に固定にすることを目的とし、この構成で回路規模を小さくすることができる。
【００３４】
【発明の効果】
ＰＷＭパルスで制御することのできるバックライトにおいて、ＰＷＭパルスの周期とは非同期に更新されるＰＷＭパルスのデューティーにおいて遅延なくかつ不正なＰＷＭパルスを出力することなくＰＷＭパルスを制御することができる。
【図面の簡単な説明】
【図１】本発明の放電灯点灯制御装置の一構成例であるブロック図を示す図
【図２】本発明の放電灯点灯制御装置の一構成例であるブロック図を示す図
【図３】本発明の放電灯点灯制御装置の一構成例であるブロック図を示す図
【図４】従来例における放電灯点灯制御装置のブロック図を示す図
【符号の説明】
１０１、２０１、３０１、４０１  アップカウンタ
１０２、２０２、３０２、４０２  ＰＷＭパルス発生手段
１０３、２０３、３０３、４０３  ＰＷＭ駆動型バックライト
１０４、２０４、３０４、４０５  ユーザー設定値
１０５、１１０、１１１、２０８、２１２、２１３、３１０  記憶手段
１０６、２０７、３０６  符号判別手段
１０７、１０８、２１０、２１１、３０７、３０８  選択手段
１０９、２０６、２０９、３０５  減算器
１１２、１１３、２０５、２１４、２１５、３０９、４０８  加算器
１１４、２１６、３１１、４０６  ＰＷＭパルス開始位置設定手段
１１５、２１７、３１２、４０７  ＰＷＭパルス終了位置設定手段
１１６、２１８、３１３  ＭＰＵまたはＬＳＩ
４０４  カウント開始設定値
【図１】
2004311191.tif 000003
【図２】
2004311191.tif 000004
【図３】
2004311191.tif 000005
【図４】
2004311191.tif 000006